【手続補正書】
【提出日】平成17年5月23日(2005.5.23)
【手続補正１】
【補正対象書類名】明細書
【補正対象項目名】発明の名称
【補正方法】変更
【補正の内容】
【発明の名称】プレビュー画像表示方法、印刷制御装置およびプログラムを記録した記録媒体
【手続補正２】
【補正対象書類名】明細書
【補正対象項目名】特許請求の範囲
【補正方法】変更
【補正の内容】
【特許請求の範囲】
【請求項１】
格納された印刷データを印刷する際に、印刷済みのシートを製本することで本来の順序でページが配置されるように印刷する製本印刷を指定可能な印刷制御装置においてプレビュー画像を表示するプレビュー画像表示方法であって、
製本単位に製本する製本印刷が選択されているか否かを判定する判定工程と、
前記判定工程により製本単位に製本する製本印刷が指定されていると判定された場合、印刷データを製本後にページをめくる本来の順序で並べて配置すると共に、製本単位を識別可能にプレビュー表示する表示工程を有することを特徴とするプレビュー画像表示方法。
【請求項２】
製本印刷の指定に際して、２つ折りにする単位である製本単位の枚数を指定可能であり、前記表示工程は、指定された製本単位の枚数に基づいて前記製本単位を識別可能にプレビュー表示することを特徴とする請求項１に記載のプレビュー画像表示方法。
【請求項３】
前記表示工程は、製本単位で２つ折りにした複数の印刷済みのシートをまとめることで見開きとなる関係のページであって、異なるシートに印刷される印刷データを分割してプレビュー表示することを特徴とする請求項１または２に記載のプレビュー画像表示方法。
【請求項４】
前記表示工程は、前記製本単位の先頭および最終ページを１ページずつ表示し、中間のページを見開き単位で隣接して表示することを特徴とする請求項１乃至３のいずれかに記載のプレビュー画像表示方法。
【請求項５】
印刷データを格納する格納工程をさらに備えることを特徴とする請求項１乃至４のいずれかに記載のプレビュー画像表示方法。
【請求項６】
アプリケーションからの印刷命令を論理ページ単位に中間コードに変換する変換工程をさらに備えることを特徴とする請求項１乃至５のいずれかに記載のプレビュー画像表示方法。
【請求項７】
製本印刷が指定されている場合、製本後にページをめくることで前記プレビュー表示した通りの順序となるように印刷装置に印刷させるために、印刷されるべきデータの出力順序を決定する決定工程をさらに備えることを特徴とする請求項１乃至６のいずれかに記載のプレビュー画像表示方法。
【請求項８】
製本後にページをめくっていく順序である前記表示工程によって表示される前記印刷データの表示順序と前記決定工程により決定される印刷されるべきデータの出力順序とは異なることを特徴とする請求項７に記載のプレビュー画像表示方法。
【請求項９】
論理ページが配置された物理ページを製本することで１部の本となるように印刷を行うために印刷データを生成する印刷制御装置においてプレビュー画像を表示するプレビュー画像表示方法であって、
製本単位毎に製本する製本印刷が選択されているか否かを判定する判定工程と、
前記判定工程において製本単位毎に製本する製本印刷が選択されていると判定された場合、製本後にページをめくる順序である論理ページの表示順序に従って、異なる製本単位に属する論理ページを識別可能にプレビュー画像を表示する表示工程を有することを特徴とするプレビュー画像表示方法。
【請求項１０】
格納された印刷データを印刷する際に、印刷済みのシートを製本することで本来の順序でページが配置されるように印刷する製本印刷を指定可能な印刷制御装置であって、
製本単位に製本する製本印刷が選択されているか否かを判定する判定手段と、
前記判定手段により製本単位に製本する製本印刷が指定されていると判定された場合、印刷データを製本後にページをめくる本来の順序で並べて配置すると共に、製本単位を識別可能にプレビュー表示する表示手段を有することを特徴とする印刷制御装置。
【請求項１１】
製本印刷の指定に際して、２つ折りにする単位である製本単位の枚数を指定可能であり、前記表示手段は、指定された製本単位の枚数に基づいて前記製本単位を識別可能にプレビュー表示することを特徴とする請求項１０に記載の印刷制御装置。
【請求項１２】
前記表示手段は、製本単位で２つ折りにした複数の印刷済みのシートをまとめることで見開きとなる関係のページであって、異なるシートに印刷される印刷データを分割してプレビュー表示することを特徴とする請求項１０または１１に記載の印刷制御装置。
【請求項１３】
前記表示手段は、前記製本単位の先頭および最終ページを１ページずつ表示し、中間のページを見開き単位で隣接して表示することを特徴とする請求項１０乃至１２のいずれかに記載の印刷制御装置。
【請求項１４】
印刷データを格納する格納手段をさらに備えることを特徴とする請求項１０乃至１３のいずれかに記載の印刷制御装置。
【請求項１５】
アプリケーションからの印刷命令を論理ページ単位に中間コードに変換する変換手段をさらに備えることを特徴とする請求項１０乃至１４のいずれかに記載の印刷制御装置。
【請求項１６】
製本印刷が指定されている場合、製本後にページをめくることで前記プレビュー表示した通りの順序となるように印刷装置に印刷させるために、印刷されるべきデータの出力順序を決定する決定手段をさらに備えることを特徴とする請求項１０乃至１５のいずれかに記載の印刷制御装置。
【請求項１７】
製本後にページをめくっていく順序である前記表示手段によって表示される前記印刷データの表示順序と前記決定手段により決定される印刷されるべきデータの出力順序とは異なることを特徴とする請求項１６に記載の印刷制御装置。
【請求項１８】
論理ページが配置された物理ページを製本することで１部の本となるように印刷を行うために印刷データを生成する印刷制御装置であって、
製本単位毎に製本する製本印刷が選択されているか否かを判定する判定手段と、
前記判定手段において製本単位毎に製本する製本印刷が選択されていると判定された場合、製本後にページをめくる順序である論理ページの表示順序に従って、異なる製本単位に属する論理ページを識別可能にプレビュー画像を表示する表示手段を有することを特徴とする印刷制御装置。
【請求項１９】
格納された印刷データを印刷する際に、印刷済みのシートを製本することで本来の順序でページが配置されるように印刷する製本印刷を指定可能なコンピュータで実行可能であり、印刷のプレビュー画像を表示するためのプログラムを記録したコンピュータ可読の記録媒体であって、前記プログラムは、
製本単位に製本する製本印刷が選択されているか否かを判定する判定手段と、
前記判定手段により製本単位に製本する製本印刷が指定されていると判定された場合、印刷データを製本後にページをめくる本来の順序で並べて配置すると共に、製本単位を識別可能にプレビュー表示する表示手段と
してコンピュータを機能させることを特徴とするコンピュータ可読記録媒体。
【請求項２０】
製本印刷の指定に際して、２つ折りにする単位である製本単位の枚数を指定可能であり、前記表示手段は、指定された製本単位の枚数に基づいて前記製本単位を識別可能にプレビュー表示することを特徴とする請求項１９に記載の記録媒体。
【請求項２１】
前記表示手段は、製本単位で２つ折りにした複数の印刷済みのシートをまとめることで見開きとなる関係のページであって、異なるシートに印刷される印刷データを分割してプレビュー表示することを特徴とする請求項１９または２０に記載の記録媒体。
【請求項２２】
前記表示手段は、前記製本単位の先頭および最終ページを１ページずつ表示し、中間のページを見開き単位で隣接して表示することを特徴とする請求項１９乃至２１のいずれかに記載の記録媒体。
【請求項２３】
前記プログラムは、印刷データを格納する格納手段としてさらにコンピュータを機能させることを特徴とする請求項１９乃至２２のいずれかに記載の記録媒体。
【請求項２４】
前記プログラムは、アプリケーションからの印刷命令を論理ページ単位に中間コードに変換する変換手段としてさらにコンピュータを機能させることを特徴とする請求項１９乃至２３のいずれかに記載の記録媒体。
【請求項２５】
前記プログラムは、製本印刷が指定されている場合、製本後にページをめくることで前記プレビュー表示した通りの順序となるように印刷装置に印刷させるために、印刷されるべきデータの出力順序を決定する決定手段としてさらにコンピュータを機能させることを特徴とする請求項１９乃至２４のいずれかに記載の記録媒体。
【請求項２６】
製本後にページをめくっていく順序である前記表示手段によって表示される前記印刷データの表示順序と前記決定手段により決定される印刷されるべきデータの出力順序とは異なることを特徴とする請求項２５に記載の記録媒体。
【請求項２７】
論理ページが配置された物理ページを製本することで１部の本となるように印刷を行うために印刷データを生成するコンピュータにおいて実行可能であり、プレビュー画像を表示するためのプログラムを記録したコンピュータ可読記録媒体であって、前記プログラムは、
製本単位毎に製本する製本印刷が選択されているか否かを判定する判定手段と、
前記判定手段において製本単位毎に製本する製本印刷が選択されていると判定された場合、製本後にページをめくる順序である論理ページの表示順序に従って、異なる製本単位に属する論理ページを識別可能にプレビュー画像を表示する表示手段と
してコンピュータを機能させることを特徴とする記録媒体。
【手続補正３】
【補正対象書類名】明細書
【補正対象項目名】０００６
【補正方法】変更
【補正の内容】
【０００６】
【課題を解決するための手段】
上記目的を達成するために本発明は次のような構成からなる。すなわち、
格納された印刷データを印刷する際に、印刷済みのシートを製本することで本来の順序でページが配置されるように印刷する製本印刷を指定可能な印刷制御装置においてプレビュー画像を表示するプレビュー画像表示方法であって、
製本単位に製本する製本印刷が選択されているか否かを判定する判定工程と、
前記判定工程により製本単位に製本する製本印刷が指定されていると判定された場合、印刷データを製本後にページをめくる本来の順序で並べて配置すると共に、製本単位を識別可能にプレビュー表示する表示工程を有する。
【手続補正４】
【補正対象書類名】明細書
【補正対象項目名】０００７
【補正方法】変更
【補正の内容】
【０００７】
あるいは、論理ページが配置された物理ページを製本することで１部の本となるように印刷を行うために印刷データを生成する印刷制御装置においてプレビュー画像を表示するプレビュー画像表示方法であって、
製本単位毎に製本する製本印刷が選択されているか否かを判定する判定工程と、
前記判定工程において製本単位毎に製本する製本印刷が選択されていると判定された場合、製本後にページをめくる順序である論理ページの表示順序に従って、異なる製本単位に属する論理ページを識別可能にプレビュー画像を表示する表示工程を有する。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】